(57)【要約】【課題】多種類の光ファイバに安価に対応でき、容易に取り扱える光ファイバ被覆除去装置を提供できるようにする。【解決手段】光ファイバ被覆除去装置に用いる被覆除去刃３であって、被覆材１０１に対して光ファイバ１００の光ファイバ裸線１０２の径方向から押し付けられる刃先端２１と、光ファイバから引き抜かれる被覆材１０１Ａが光ファイバの長手方向において押し付けられる押付面２２と、を有し、押付面は、刃先端から光ファイバ裸線の径方向に離れるにしたがって光ファイバの引抜方向Ｄ１と反対方向に延びるように一定角度で傾斜する傾斜面２３を含み、傾斜面における光ファイバの引抜方向に対する傾斜角度は、０°よりも大きく、かつ、６０°以下である被覆除去刃を提供する。【選択図】図４
2018136359.tif 000002
【特許請求の範囲】
【請求項１】
光ファイバの被覆材を除去する光ファイバ被覆除去装置に用いる被覆除去刃であって、
前記被覆材に対して前記光ファイバの光ファイバ裸線の径方向から押し付けられる刃先端と、
前記光ファイバから引き抜かれる被覆材が前記光ファイバの長手方向において押し付けられる押付面と、を有し、
前記押付面は、前記刃先端から前記光ファイバ裸線の径方向に離れるにしたがって前記光ファイバの引抜方向と反対方向に延びるように一定角度で傾斜する傾斜面を含み、
前記傾斜面における前記光ファイバの引抜方向に対する傾斜角度が、０°よりも大きく、かつ、６０°以下である被覆除去刃。
【請求項２】
光ファイバの被覆材を除去する光ファイバ被覆除去装置に用いる被覆除去刃であって、
前記被覆材に対して前記光ファイバの光ファイバ裸線の径方向から押し付けられる刃先端と、
前記光ファイバから引き抜かれる被覆材が前記光ファイバの長手方向において押し付けられる押付面と、を有し、
前記押付面は、前記刃先端から前記光ファイバ裸線の径方向に離れるにしたがって前記光ファイバの引抜方向と反対方向に延びるように傾斜する傾斜面を含み、
前記傾斜面は、前記傾斜面における前記光ファイバの引抜方向に対する傾斜角度が前記刃先端から離れるにしたがって小さくなる湾曲面に形成されている被覆除去刃。
【請求項３】
前記押付面が、前記傾斜面と前記刃先端との間に形成された引っ掛け面を含み、
前記引っ掛け面は、前記光ファイバの引抜方向に直交している、又は、光ファイバ裸線の径方向において前記傾斜面から前記刃先端に向かうにしたがって前記光ファイバの引抜方向と反対方向に延びるように傾斜している請求項１又は請求項２に記載の被覆除去刃。
【請求項４】
前記傾斜面を含む第一刃分割体と、前記引っ掛け面及び前記刃先端を含む第二刃分割体と、を備え、
前記第一刃分割体と前記第二刃分割体とが、前記引抜方向に順番に配列されている請求項３に記載の被覆除去刃。
【請求項５】
前記押付面のうち前記傾斜面と前記引っ掛け面との間に、前記引抜方向に窪む凹部が形成されている請求項３又は請求項４に記載の被覆除去刃。
【請求項６】
前記傾斜面は、前記引抜方向を軸線とする回転体内面に形成され、
前記回転体内面の内径は、刃先端から前記引抜方向と反対方向に向かうにしたがって大きくなる請求項１から請求項５のいずれか一項に記載の被覆除去刃。
【請求項７】
請求項１から請求項６のいずれか一項に記載の被覆除去刃を一対備え、
一対の前記被覆除去刃により前記光ファイバを前記光ファイバ裸線の径方向から挟み込んだ状態で、一対の前記被覆除去刃の前記傾斜面が一対の前記被覆除去刃の配列方向において互いに対向すると共に、一対の前記被覆除去刃の前記傾斜面の間隔が、前記光ファイバの引抜方向に向けて徐々に小さくなる除去刃ユニット。
【請求項８】
一対の前記被覆除去刃の前記傾斜面の前記傾斜角度が互いに等しい請求項７に記載の除去刃ユニット。
【請求項９】
請求項７又は請求項８に記載の除去刃ユニットを備える光ファイバ被覆除去装置。
【請求項１０】
請求項１から請求項６のいずれか一項に記載の被覆除去刃を備える光ファイバ被覆除去装置。
【発明の詳細な説明】
【技術分野】
【０００１】
本発明は、被覆除去刃、除去刃ユニット及び光ファイバ被覆除去装置に関する。
【背景技術】
【０００２】
光ファイバ裸線とこれを被覆する被覆材とを有する光ファイバ（被覆付き光ファイバ）同士を接続するために、各光ファイバの端末部の被覆材を除去する光ファイバ被覆除去装置がある（例えば特許文献１参照）。
光ファイバ被覆除去装置では、これに備える一対の被覆除去刃により、以下のように光ファイバの端末部の被覆材を除去する。はじめに、上下一対の被覆除去刃が被覆材に食い込むが光ファイバ裸線には到達しない範囲で、一対の被覆除去刃によって光ファイバを光ファイバ裸線の径方向から挟み込む。その後、一対の被覆除去刃から光ファイバの長手方向の一方側に延びる光ファイバの部位を、一対の被覆除去刃から光ファイバの長手方向の他方側に延びる光ファイバの部位（端末部）に対して、引き離す方向（引抜方向）に移動させて、被覆除去刃が食い込んだ被覆材の部位を引きちぎる。これにより、光ファイバの端末部から被覆材を引き抜いて除去することができる。
【０００３】
特許文献１には、光ファイバを光ファイバ裸線の径方向から挟み込むように支持する一対のガイドを、一対の被覆除去刃に隣りあわせて配した光ファイバ被覆除去装置が開示されている。一対のガイドの間隔は、光ファイバの厚み（例えば、単心光ファイバの直径や、テープ型光ファイバの厚み）と同等となるように固定されている。光ファイバが一対のガイドによって支持されることで、光ファイバの端末部から被覆材を引き抜く際に、光ファイバ裸線が被覆除去刃に接触して破損することを防いでいる。
【先行技術文献】
【特許文献】
【０００４】
【特許文献１】国際公開第２０１０／１００９１２号
【発明の概要】
【発明が解決しようとする課題】
【０００５】
ところで、近年では、光ファイバの厚み（例えば光ファイバ裸線を覆う被覆材の厚み）が異なる多種類の光ファイバがある。しかしながら、上記従来の光ファイバ被覆除去装置では、作業者が光ファイバの厚みに応じて一対のガイドを交換する必要があるため作業性が悪く、好ましくない。一対のガイドの間隔を精密に調整できる機構にする方法もあるが、高価で複雑な構造となる。
【０００６】
本発明は、上述した事情に鑑みてなされたものであって、多種類の光ファイバに安価に対応でき、容易に取り扱うことが可能な被覆除去刃、除去刃ユニット及び光ファイバ被覆除去装置を提供することを目的とする。
【課題を解決するための手段】
【０００７】
本発明に係る被覆除去刃は、光ファイバの被覆材を除去する光ファイバ被覆除去装置に用いる被覆除去刃であって、前記被覆材に対して前記光ファイバの光ファイバ裸線の径方向から押し付けられる刃先端と、前記光ファイバから引き抜かれる被覆材が前記光ファイバの長手方向において押し付けられる押付面と、を有し、前記押付面は、前記刃先端から前記光ファイバ裸線の径方向に離れるにしたがって前記光ファイバの引抜方向と反対方向に延びるように一定角度で傾斜する傾斜面を含み、前記傾斜面における前記光ファイバの引抜方向に対する傾斜角度が、０°よりも大きく、かつ、６０°以下である。
【０００８】
本発明に係る被覆除去刃は、光ファイバの被覆材を除去する光ファイバ被覆除去装置に用いる被覆除去刃であって、前記被覆材に対して前記光ファイバの光ファイバ裸線の径方向から押し付けられる刃先端と、前記光ファイバから引き抜かれる被覆材が前記光ファイバの長手方向において押し付けられる押付面と、を有し、前記押付面は、前記刃先端から前記光ファイバ裸線の径方向に離れるにしたがって前記光ファイバの引抜方向と反対方向に延びるように傾斜する傾斜面を含み、前記傾斜面は、前記傾斜面における前記光ファイバの引抜方向に対する傾斜角度が前記刃先端から離れるにしたがって小さくなる湾曲面に形成されている。
【０００９】
前記被覆除去刃において、前記押付面が、前記傾斜面と前記刃先端との間に形成された引っ掛け面を含み、前記引っ掛け面は、前記光ファイバの引抜方向に直交してもよい、又は、光ファイバ裸線の径方向において前記傾斜面から前記刃先端に向かうにしたがって前記光ファイバの引抜方向と反対方向に延びるように傾斜してもよい。
【００１０】
また、前記被覆除去刃は、前記傾斜面を含む第一刃分割体と、前記引っ掛け面及び前記刃先端を含む第二刃分割体と、を備え、前記第一刃分割体と前記第二刃分割体とが、前記引抜方向に順番に配列されてもよい。
【００１１】
さらに、前記被覆除去刃において、前記押付面のうち前記傾斜面と前記引っ掛け面との間に、前記引抜方向に窪む凹部が形成されてもよい。
【００１２】
また、前記被覆除去刃において、前記傾斜面は、前記引抜方向を軸線とする回転体内面に形成され、前記回転体内面の内径は、刃先端から前記引抜方向と反対方向に向かうにしたがって大きくなってもよい。
【００１３】
本発明に係る除去刃ユニットは、前記被覆除去刃を一対備え、一対の前記被覆除去刃により前記光ファイバを前記光ファイバ裸線の径方向から挟み込んだ状態で、一対の前記被覆除去刃の前記傾斜面が一対の前記被覆除去刃の配列方向において互いに対向すると共に、一対の前記被覆除去刃の前記傾斜面の間隔が、前記光ファイバの引抜方向に向けて徐々に小さくなる。
【００１４】
前記除去刃ユニットにおいては、一対の前記被覆除去刃の前記傾斜面の前記傾斜角度が互いに等しくてもよい。
【００１５】
本発明に係る光ファイバ被覆除去装置は、前記除去刃ユニットを備える。
【００１６】
本発明に係る光ファイバ被覆除去装置は、前記被覆除去刃を備える。
【発明の効果】
【００１７】
本発明によれば、一対の被覆除去刃のみ使用することで、光ファイバを被覆材から引き抜く際に光ファイバ裸線が被覆除去刃の刃先端に接触することを防止できる。また、一対の被覆除去刃の傾斜面を一対の被覆除去刃の配列方向において互いに対向させることで、様々な厚みを有する多種類の光ファイバの被覆除去に対応することができる。したがって、厚みが異なる多種類の光ファイバの被覆除去に安価に対応できると共に、作業者は光ファイバ被覆除去装置を容易に取り扱うことができる。
【図面の簡単な説明】
【００１８】
【図１】本発明の第一実施形態に係る光ファイバ被覆除去装置の一例を示す斜視図である。
【図２】本発明の第一実施形態に係る被覆除去刃を示す側面図である。
【図３】図２の被覆除去刃を用いて光ファイバの被覆材を除去するために、光ファイバを一対の被覆除去刃により挟み込んだ状態を示す図である。
【図４】図２の被覆除去刃を用いて光ファイバの被覆材を除去する過程を示す図である。
【図５】本発明の第二実施形態に係る被覆除去刃の第一例を示す斜視図である。
【図６】本発明の第二実施形態に係る被覆除去刃の第二例を示す斜視図である。
【図７】本発明の第三実施形態に係る被覆除去刃を示す側面図である。
【図８】本発明の第四実施形態に係る被覆除去刃を示す側面図である。
【図９】本発明の第五実施形態に係る被覆除去刃の第一例を示す側面図である。
【図１０】本発明の第五実施形態に係る被覆除去刃の第二例を示す側面図である。
【図１１】本発明の他の実施形態に係る被覆除去刃を示す側面図である。
【図１２】本発明の他の実施形態に係る被覆除去刃を示す側面図である。
【図１３】本発明の他の実施形態に係る被覆除去刃を示す側面図である。
【発明を実施するための形態】
【００１９】
〔第一実施形態〕
以下、本発明に係る光ファイバ被覆除去装置の第一実施形態について、図１−４を参照して説明する。
本実施形態の光ファイバ被覆除去装置は、光ファイバ（被覆付き光ファイバ）の端末部における被覆材を除去するものである。光ファイバ被覆除去装置において取り扱う光ファイバは、単心光ファイバであってもよいし、テープ型光ファイバであってもよい。
【００２０】
図１−３に示すように、光ファイバ被覆除去装置１（以下、被覆除去装置１と呼ぶ。）は、光ファイバ１００の被覆材１０１を除去するための除去刃ユニット２を備える。除去刃ユニット２は、一対の被覆除去刃３，３を備える。一対の被覆除去刃３，３は、被覆材１０１を除去する際に、光ファイバ１００を光ファイバ裸線１０２の径方向（図３において上下方向）から挟み込むものである。
また、被覆除去装置１は、一対の被覆除去刃３，３によって光ファイバ１００を挟み込んだ状態で、端末部における被覆材１０１Ａに対して光ファイバ１００の他の部位を引き抜く引抜機構を備える。
以下、本実施形態の被覆除去装置１の全体構成について、具体的に説明する。
【００２１】
本実施形態の被覆除去装置１は、一対の被覆除去刃３，３の他に、二つのクランプ部４，５と、スライドシャフト６と、を備える。
二つのクランプ部４，５の一方は、光ファイバ１００の端末部を挟み込むための第一クランプ部４である。第一クランプ部４は、ベース１１と、蓋１２と、を備える。ベース１１及び蓋１２は、互いに開閉可能に連結されている。蓋１２をベース１１に対して閉じることで光ファイバ１００の端末部を挟み込んで第一クランプ部４に保持することができる。第一クランプ部４により光ファイバ１００の端末部を挟み込んだ状態で、互いに対向するベース１１及び蓋１２の対向面１３，１４は光ファイバ１００の端末部が接触する。このため、ベース１１及び蓋１２の対向面１３，１４の少なくとも一方は、例えば、ゴム等のように光ファイバ１００の端末部（被覆材１０１Ａ）との摩擦係数が高い材料によって構成されてもよい。
【００２２】
一対の被覆除去刃３，３は、第一クランプ部４のベース１１と蓋１２とに一つずつ取り付けられている。一対の被覆除去刃３，３は、第一クランプ部４のうち後述する第二クランプ部５に対向する端部に配されている。
【００２３】
二つのクランプ部４，５の他方は、光ファイバ１００の他の部位（端末部に隣り合う部位）を挟み込むための第二クランプ部５である。第二クランプ部５は、ファイバホルダ１５と、ホルダベース１６と、ホルダ蓋１７と、を備える。ファイバホルダ１５は、光ファイバ１００の他の部位を挟持した状態に保持するものであり、ホルダベース１６に対して着脱自在に設けられる。ホルダベース１６には、ファイバホルダ１５を収容する収容凹部１８が形成されている。収容凹部１８は、第一クランプ部４に対向する第二クランプ部５の端部に開口しないように形成されている。ホルダ蓋１７は、ホルダベース１６に対して開閉可能に連結されている。
光ファイバ１００の他の部位を保持したファイバホルダ１５をホルダベース１６の収容凹部１８に収容した上で、ホルダ蓋１７をホルダベース１６に対して閉じることで、ファイバホルダ１５を収容凹部１８内に保持できる。これにより、光ファイバ１００の他の部位を第二クランプ部５に保持することができる。
【００２４】
スライドシャフト６は、二つのクランプ部４，５を、上記した二つのクランプ部４，５を光ファイバ１００の長手方向において互いに近づけたり離したりする方向のみに移動させるためのガイドである。
これら二つのクランプ部４，５及びスライドシャフト６は、前述した引抜機構を構成する。
【００２５】
本実施形態の被覆除去装置１では、例えば、第一クランプ部４のベース１１及び蓋１２の一方又は両方に、例えば光ファイバ１００の端末部における被覆材１０１Ａを加熱するヒータ（不図示）が設けられてもよい。
【００２６】
上記した被覆除去装置１では、以下のようにして光ファイバ１００の被覆材１０１Ａを除去することができる。
はじめに、光ファイバ１００の端末部を第一クランプ部４に保持させると共に、光ファイバ１００の他の部位を第二クランプ部５に保持させる。光ファイバ１００の端末部を第一クランプ部４に保持させることで、図３に示すように、一対の被覆除去刃３，３によって光ファイバ１００を光ファイバ裸線１０２の径方向から挟み込むことができる。
その後、第二クランプ部５を第一クランプ部４に対して離れる方向（光ファイバ１００の引抜方向Ｄ１）に移動させることで、図４に示すように、一対の被覆除去刃３，３によって挟み込まれた被覆材１０１の部位がちぎれる。これにより、第一クランプ部４に保持された被覆材１０１Ａに対して光ファイバ１００を引き抜くことができる。
【００２７】
また、被覆除去装置１がヒータを備える場合には、光ファイバ１００の端末部を第一クランプ部４に保持させた状態で、ヒータにより端末部における被覆材１０１Ａを加熱することで、被覆材１０１Ａと光ファイバ裸線１０２との密着力を低下させることができる。これにより、第二クランプ部５を第一クランプ部４に対して移動させる際に、光ファイバ１００を被覆材１０１Ａから簡単に引き抜くことができる。
【００２８】
次に、本実施形態に係る被覆除去刃３の形状について説明する。
図２−４に示すように、被覆除去刃３は、刃先端２１と、押付面２２と、を有する。刃先端２１は、一対の被覆除去刃３，３により光ファイバ１００を挟み込む際に、被覆材１０１に対して光ファイバ裸線１０２の径方向から押し付けられる部位である。
押付面２２は、光ファイバ１００を被覆材１０１Ａに対して引き抜く際に、光ファイバ１００から引き抜かれる被覆材１０１Ａが光ファイバ１００の長手方向において押し付けられる面である。言い換えれば、押付面２２は、一対の被覆除去刃３，３により光ファイバ１００を挟み込んだ状態で、光ファイバ１００を端末部における被覆材１０１Ａに対して引き抜く際に、光ファイバ１００から除去される被覆材１０１Ａが押し付けられる面である。押付面２２は、光ファイバ１００の引抜方向Ｄ１と反対方向（図２において右方向）に向く面である。
【００２９】
押付面２２は、傾斜面２３を含む。傾斜面２３は、被覆除去刃３の刃先端２１から光ファイバ裸線１０２の径方向（図２において下方向）に離れるにしたがって光ファイバ１００の引抜方向Ｄ１と反対方向に延びるように傾斜する面である。
【００３０】
傾斜面２３における光ファイバ１００の引抜方向Ｄ１に対する傾斜角度θＡは、０°よりも大きく、かつ、６０°以下であるとよい。また、傾斜面２３の傾斜角度θＡは、例えば４５°以下であってもよいし、３０°以下であってもよい。また、傾斜面２３の傾斜角度θＡは、例えば２０°以下であってもよい。
本実施形態の傾斜面２３は、その傾斜方向において傾斜角度θＡが変化しない一定角度で傾斜している。すなわち、本実施形態の傾斜面２３は、図２−４に示す方向から見て直線状に形成されている。
【００３１】
一対の被覆除去刃３，３を備える除去刃ユニット２においては、一対の被覆除去刃３，３により光ファイバ１００を挟み込んだ状態で、一対の被覆除去刃３，３の傾斜面２３，２３が、一対の被覆除去刃３，３の配列方向（図３において上下方向）において互いに対向する。また、これら一対の傾斜面２３，２３の間隔は、光ファイバ１００の引抜方向Ｄ１に向けて徐々に小さくなっている。一対の傾斜面２３，２３の傾斜角度θＡは、互いに等しいとよいが、例えば微小に異なっていてもよい。
【００３２】
傾斜面２３を含む被覆除去刃３では、光ファイバ裸線１０２の径方向（図２において上下方向）において、刃先端２１に対して刃先端２１から最も遠くに位置する傾斜面２３の第一端２５の位置は、任意であってよい。
刃先端２１に対する傾斜面２３の第一端２５の位置は、例えば、一対の被覆除去刃３，３によって光ファイバ１００を挟み込んだ状態で、一対の被覆除去刃３，３の配列方向における一対の被覆除去刃３，３の傾斜面２３、２３の第一端２５，２５間の距離が、光ファイバ１００の厚みｔ１（単心光ファイバの直径、テープ型光ファイバの厚み）よりも大きくなるように設定されてもよい。この場合、光ファイバ１００を被覆材１０１Ａに対して引き抜く際に、光ファイバ１００から引き抜かれる被覆材１０１Ａが、押付面２２以外の面、例えば傾斜面２３の第一端２５につながる垂直面３１（光ファイバ裸線１０２の径方向に延びる面）に、押し当てられることを防止できる。
【００３３】
光ファイバ裸線１０２の径方向（図３において上下方向）において、刃先端２１から傾斜面２３の第一端２５までの距離は、例えば被覆材１０１の厚みが最も大きな種類の光ファイバ１００における被覆材１０１の厚みｔ２よりも大きいとよい。
【００３４】
また、本実施形態の押付面２２は、上記の傾斜面２３に加え、引っ掛け面２４も含む。引っ掛け面２４は、傾斜面２３と刃先端２１との間に形成されている。
引っ掛け面２４は、例えば、被覆除去刃３の刃先端２１から光ファイバ裸線１０２の径方向（図２において下方向）に離れるにしたがって光ファイバ１００の引抜方向Ｄ１と反対方向に延びるように傾斜していてもよい。すなわち、光ファイバ１００の引抜方向Ｄ１に対する引っ掛け面２４の傾斜角度θＢは、例えば９０°よりも大きくてもよい。
本実施形態の引っ掛け面２４は、光ファイバ１００の引抜方向Ｄ１に対して直交している。引抜方向Ｄ１に直交する引っ掛け面２４の傾斜角度θＢは、９０°であってもよいし、９０°から微小にずれた角度（８０°〜１２０°の範囲が望ましい）であってもよい。
【００３５】
本実施形態において、引っ掛け面２４は刃先端２１から傾斜面２３まで延びている。具体的には、引っ掛け面２４の第一端２７が、刃先端２１に直接つながっている。また、引っ掛け面２４の第二端２８が、光ファイバ裸線１０２の径方向において刃先端２１から最も近くに位置する傾斜面２３の第二端２６に直接つながっている。
【００３６】
引っ掛け面２４は、光ファイバ１００を被覆材１０１Ａに対して引き抜く際に、光ファイバ１００から引き抜かれる被覆材１０１Ａのうち光ファイバ裸線１０２の径方向において光ファイバ裸線１０２に近い側の部分（被覆材１０１Ａの内側部分）が押し付けられる面として機能する。
【００３７】
このため、光ファイバ裸線１０２の径方向における引っ掛け面２４の寸法（光ファイバ裸線１０２の径方向（図２において上下方向）における、引っ掛け面２４の第一端２７から第二端２８までの距離）は、少なくとも光ファイバ裸線１０２を覆う被覆材１０１の厚みｔ２より小さいとよい。また、光ファイバ裸線１０２の径方向における引っ掛け面２４の寸法は、図３のように刃先端２１を被覆材１０１に食い込ませた状態で、引っ掛け面２４の第二端２８が被覆材１０１の外面よりも被覆材１０１の内側に位置するように設定されるとよい。
【００３８】
例えば、厚みが最小である種類の光ファイバ１００の厚みｔ１（単心光ファイバの直径、テープ型光ファイバの厚み）が２００μｍである場合、光ファイバ裸線１０２の径方向における引っ掛け面２４の寸法は、例えば１００μｍよりも小さくなるように設定されるとよい。
【００３９】
被覆除去刃３の刃先端２１は、例えば尖っていてもよいが、本実施形態では、光ファイバ１００の引抜方向Ｄ１に延びる平坦な形状に形成されている。光ファイバ１００の引抜方向Ｄ１における刃先端２１の長さは、一対の被覆除去刃３，３によって光ファイバ１００を挟み込んだ際に刃先端２１が被覆材１０１に食い込むことができる程度に設定されるとよい。
【００４０】
刃先端２１が平坦に形成されていることで、刃先端２１及び引っ掛け面２４を含む被覆除去刃３の先端部分の強度を確保し、この先端部分が欠けてしまうことを抑制できる。また、刃先端２１が尖っている場合と比較して、刃先端２１が被覆材１０１に過度に食い込んで光ファイバ裸線１０２に到達することを抑制できる。すなわち、光ファイバ裸線１０２が被覆除去刃３によって傷つけられることを抑制できる。
【００４１】
また、被覆除去刃３のうち刃先端２１に対して前述の押付面２２の反対側につながる面２９（反対面２９）は、例えば光ファイバ１００の引抜方向Ｄ１と直交してもよいが、本実施形態では、刃先端２１から光ファイバ１００の引抜方向Ｄ１に向けて徐々に光ファイバ裸線１０２の径方向に離れる方向に傾斜している。反対面２９が傾斜していることで、被覆除去刃３の先端部分の強度をさらに確保でき、先端部分が欠けることをさらに好適に抑制できる。
【００４２】
また、本実施形態における被覆除去刃３は、光ファイバ１００の引抜方向Ｄ１に直交する一方向（図２−４において紙面に直交する方向）に延びる平刃である。被覆除去刃３の傾斜面２３、引っ掛け面２４、刃先端２１、反対面２９は、前記一方向に延びる面に形成され、平坦である。
【００４３】
次に、上記のように構成される本実施形態の被覆除去刃３の作用について説明する。
本実施形態の被覆除去刃３は、傾斜面２３を有する。このため、図３に示すように、一対の被覆除去刃３，３により光ファイバ１００を挟み込んだ状態においては、一対の被覆除去刃３，３の傾斜面２３，２３が、一対の被覆除去刃３，３の配列方向において互いに対向する。また、一対の傾斜面２３，２３の間隔は、光ファイバ１００の引抜方向Ｄ１に向けて徐々に小さくなる。このため、図４に示すように、光ファイバ１００を引抜方向Ｄ１に移動させた際には、一対の傾斜面２３，２３の間に位置する被覆材１０１Ａが、一対の被覆除去刃３，３の配列方向において光ファイバ裸線１０２の中心に近づく方向に押し付けられる。この際、一対の傾斜面２３，２３の間の被覆材１０１Ａは圧縮変形する。一対の傾斜面２３，２３の間の被覆材１０１Ａが光ファイバ裸線１０２の中心に向けて押し付けられることで、光ファイバ裸線１０２が、一方の被覆除去刃３の刃先端２１に近づくことを防止できる。すなわち、光ファイバ裸線１０２が被覆除去刃３の刃先端２１に接触することを防止できる。
【００４４】
また、本実施形態の被覆除去刃３は、引っ掛け面２４を有する。このため、図３に示すように、一対の被覆除去刃３，３により光ファイバ１００を挟み込み、刃先端２１を被覆材１０１に食い込ませた状態において、各被覆除去刃３の引っ掛け面２４が、一対の傾斜面２３，２３の間の被覆材１０１Ａに対して光ファイバ１００の引抜方向Ｄ１に重なるように位置する。ここで、引っ掛け面２４は、光ファイバ１００の引抜方向Ｄ１に対して直交している。このため、図４に示すように、光ファイバ１００を引抜方向Ｄ１に移動させた際には、一対の傾斜面２３，２３の間の被覆材１０１Ａが引っ掛け面２４に押し付けられる。これにより、一対の傾斜面２３，２３によって圧縮された被覆材１０１Ａが一対の被覆除去刃３，３の間を通り抜けることを防止できる。
なお、引っ掛け面２４が、例えば直交せず前述したように傾斜している場合でも、同様にして、一対の傾斜面２３，２３によって圧縮された被覆材１０１Ａが一対の被覆除去刃３，３の間を通り抜けることを防止できる。
【００４５】
以上説明したように、本実施形態の被覆除去刃３、並びに、被覆除去刃３を備える除去刃ユニット２及び被覆除去装置１によれば、被覆除去刃３の押付面２２が傾斜面２３を含む。このため、従来のようなガイドを設けず、一対の被覆除去刃３，３のみ使用して、光ファイバ１００を端末部における被覆材１０１Ａから引き抜く際に、光ファイバ裸線１０２が被覆除去刃３の刃先端２１に接触することを防止できる。また、一対の被覆除去刃３，３の傾斜面２３，２３が一対の被覆除去刃３，３の配列方向において互いに対向していることで、様々な厚みを有する多種類の光ファイバ１００の被覆除去に対応することができる。したがって、厚みが異なる多種類の光ファイバ１００の被覆除去に安価に対応できると共に、作業者は被覆除去装置１を容易に取り扱うことができる。
【００４６】
また、本実施形態の除去刃ユニット２において、一対の被覆除去刃３，３の傾斜面２３，２３の傾斜角度θＡが互いに等しい場合には、以下の効果を奏する。一対の被覆除去刃３，３により光ファイバ１００を挟み込んだ状態で光ファイバ１００を被覆材１０１Ａから引き抜く際に、一対の傾斜面２３，２３の間に位置する被覆材１０１Ａが傾斜面２３から受ける力が、一対の傾斜面２３，２３の間で等しくなる。これにより、光ファイバ１００を被覆材１０１Ａから引き抜く際に、光ファイバ裸線１０２が一方の被覆除去刃３の刃先端２１に近づくことをより確実に防止できる。すなわち、光ファイバ裸線１０２が被覆除去刃３の刃先端２１に接触することをより確実に防止できる。
【００４７】
また、本実施形態の被覆除去刃３では、傾斜面２３の傾斜角度θＡが０°よりも大きい。これにより、光ファイバ１００を被覆材１０１Ａに対して引き抜く際に、光ファイバ１００から引き抜かれる被覆材１０１Ａを傾斜面２３に対して光ファイバ１００の引抜方向Ｄ１に押し付けることができる。
また、本実施形態の被覆除去刃３では、傾斜面２３の傾斜角度θＡが６０°以下である。これにより、光ファイバ１００を被覆材１０１Ａに対して引き抜く際に、一対の傾斜面２３，２３の間に位置する被覆材１０１Ａを光ファイバ裸線１０２に向けて押し付ける力が不足することを防止できる。したがって、光ファイバ裸線１０２が一方の被覆除去刃３の刃先端２１に近づいて接触することを好適に防止できる。
また、傾斜面２３の傾斜角度θＡが６０°からさらに小さくした場合（例えば４５°以下、３０°以下、２０°以下とした場合）には、一対の傾斜面２３，２３の間に位置する被覆材１０１を光ファイバ裸線１０２に押し付ける力を増やすことができる。したがって、光ファイバ裸線１０２が一方の被覆除去刃３の刃先端２１に接触することをより確実に防止できる。
【００４８】
また、本実施形態の被覆除去刃３では、押付面２２が引っ掛け面２４も含む。このため、光ファイバ１００を被覆材１０１Ａから引き抜く際に、一対の傾斜面２３，２３によって圧縮された被覆材１０１Ａが一対の被覆除去刃３，３の間を通り抜けることを防止できる。すなわち、端末部における光ファイバ裸線１０２に除去すべき被覆材１０１Ａが残ってしまうことを防止できる。
【００４９】
〔第二実施形態〕
次に、本発明の第二実施形態について、図５，６を参照して第一実施形態との相違点を中心に説明する。なお、第一実施形態と共通する構成については、同一符号を付す等して、その説明を省略する。
【００５０】
図５，６に示すように、本実施形態の被覆除去刃３Ａ，３Ｂは、第一実施形態と同様の、傾斜面２３Ａ，２３Ｂ及び引っ掛け面２４Ａ，２４Ｂを含む押付面２２Ａ，２２Ｂと、刃先端２１Ａ，２１Ｂと、有する。
ただし、本実施形態における傾斜面２３Ａ，２３Ｂは、光ファイバ１００の引抜方向Ｄ１を軸線とする円錐内面（回転体内面）に形成されている。円錐内面の内径は、刃先端２１Ａ，２１Ｂから光ファイバ１００の引抜方向Ｄ１と反対方向に向かうにしたがって大きくなっている。
【００５１】
また、本実施形態における引っ掛け面２４Ａ，２４Ｂは、傾斜面２３Ａ，２３Ｂと同様にして、光ファイバ１００の引抜方向Ｄ１を軸線とした扇状の面に形成されている。
図５，６では、傾斜面２３Ａ，２３Ｂや引っ掛け面２４Ａ，２４Ｂが、光ファイバ１００の引抜方向Ｄ１を軸線として１８０°回転させた形状に形成されているが、任意の角度（例えば１８０°よりも小さい角度）で回転させた形状に形成されてよい。
【００５２】
図５に例示する被覆除去刃３Ａでは、刃先端２１Ａが、第一実施形態の刃先端２１と同様に、光ファイバ１００の引抜方向Ｄ１に直交する一方向（図５において符号Ｄ２で示す方向）に直線状に延びて形成されている。
図６に例示する被覆除去刃３Ｂでは、刃先端２１Ｂが、円錐内面の軸線を中心とする円弧の凹状に形成されている。この場合、凹状の刃先端２１Ｂには、一対の被覆除去刃３Ｂ，３Ｂによって光ファイバ１００を挟み込む際に、刃先端２１Ｂが被覆材１０１に食い込むように、光ファイバ１００が嵌まり込む。
【００５３】
上記した本実施形態の被覆除去刃３Ａ，３Ｂにおいて、円錐内面の軸線を通る断面形状は、図２−４に例示した第一実施形態の被覆除去刃３の形状と同様であってよい。
【００５４】
本実施形態の被覆除去刃３Ａ，３Ｂは、第一実施形態と同様の効果を奏する。
さらに、本実施形態の被覆除去刃３Ａ，３Ｂでは、傾斜面２３Ａ，２３Ｂが光ファイバ１００の引抜方向Ｄ１を軸線とする円錐内面（回転体内面）に形成されている。このため、第一実施形態の場合と同様に、一対の被覆除去刃３Ａ，３Ａ（３Ｂ，３Ｂ）により光ファイバ１００を挟み込んだ状態で光ファイバ１００を引抜方向Ｄ１に移動させた際に、一対の被覆除去刃３Ａ，３Ａ（３Ｂ，３Ｂ）の傾斜面２３Ａ，２３Ａ（２３Ｂ，２３Ｂ）の間に位置する被覆材１０１Ａを、光ファイバ裸線１０２の径方向において光ファイバ裸線１０２の中心に近づく方向に押し付けることができる。言い換えれば、一対の傾斜面２３Ａ，２３Ａ（２３Ｂ，２３Ｂ）の間に位置する被覆材１０１Ａを、一対の被覆除去刃３Ａ，３Ａ（３Ｂ，３Ｂ）の配列方向からだけではなく、光ファイバ１００の引抜方向Ｄ１に直交し、かつ、一対の被覆除去刃３Ａ，３Ａ（３Ｂ，３Ｂ）の配列方向に対して交差する方向から、光ファイバ裸線１０２の中心に向けて押し付けることができる。これにより、光ファイバ裸線１０２が、一方の被覆除去刃３Ａ，３Ｂの刃先端２１Ａ，２１Ｂに近づくことをより確実に防止できる。すなわち、光ファイバ裸線１０２が被覆除去刃３Ａ，３Ｂの刃先端２１Ａ，２１Ｂに接触することをより確実に防止できる。
【００５５】
〔第三実施形態〕
次に、本発明の第三実施形態について、図７を参照して第一実施形態との相違点を中心に説明する。なお、第一実施形態と共通する構成については、同一符号を付す等して、その説明を省略する。
【００５６】
図７に示すように、本実施形態の被覆除去刃３Ｃは、第一実施形態と同様の、傾斜面２３Ｃ及び引っ掛け面２４を含む押付面２２Ｃと、刃先端２１と、有する。
ただし、本実施形態における傾斜面２３Ｃは、その傾斜方向において傾斜角度が変化する面に形成されている。具体的に、傾斜面２３Ｃは、引抜方向Ｄ１に対する傾斜面２３Ｃの傾斜角度θＡが刃先端２１から離れるにしたがって小さくなる湾曲面に形成されている。
図７に示す方向から見た傾斜面２３Ｃは、図示例のように楕円の一部をなす曲線状に形成されてもよいし、例えば円の一部をなす曲線状に形成されてもよい。
【００５７】
湾曲面に形成された傾斜面２３Ｃの傾斜角度θＡは、傾斜方向（図７における曲線の長手方向）における傾斜面２３Ｃの全体において０°よりも大きく、かつ、６０°以下であってもよいが、これに限ることはない。傾斜面２３Ｃの傾斜角度θＡは、少なくとも傾斜方向における傾斜面２３Ｃの一部において、０°よりも大きく、かつ、６０°以下であればよい。傾斜面２３Ｃの第一端２５における傾斜面２３Ｃの傾斜角度θＡは、例えば０°であってもよい。また、傾斜面２３Ｃの第二端２６における傾斜面２３Ｃの傾斜角度θＡは、例えば６０°よりも大きくてもよい。
【００５８】
本実施形態において、傾斜面２３Ｃは、例えば第一実施形態の場合と同様に、光ファイバ１００の引抜方向Ｄ１に直交する一方向（図７において紙面に直交する方向）に延びる面に形成されてよい。また、傾斜面２３Ｃは、例えば第二実施形態の場合と同様に、光ファイバ１００の引抜方向Ｄ１を軸線とする球体内面（回転体内面）に形成されてもよい。球体内面には、楕円体の内面や球体の内面が含まれてよい。
【００５９】
本実施形態の被覆除去刃３Ｃは、第一、第二実施形態と同様の効果を奏し得る。
【００６０】
〔第四実施形態〕
次に、本発明の第四実施形態について、図８を参照して第一実施形態との相違点を中心に説明する。なお、第一実施形態と共通する構成については、同一符号を付す等して、その説明を省略する。
【００６１】
図８に示すように、本実施形態の被覆除去刃３Ｄは、第一実施形態と同様の、傾斜面２３及び引っ掛け面２４を含む押付面２２と、刃先端２１と、有する。
ただし、本実施形態における被覆除去刃３Ｄは、二つの刃分割体４１Ｄ，４２Ｄを備える。第一刃分割体４１Ｄは、押付面２２の傾斜面２３を含んでいる。一方、第二刃分割体４２Ｄは、押付面２２の引っ掛け面２４及び刃先端２１を含んでいる。第一刃分割体４１Ｄと第二刃分割体４２Ｄとは、光ファイバ１００の引抜方向Ｄ１に順番に配列されている。
【００６２】
本実施形態において、二つの刃分割体４１Ｄ，４２Ｄは、互いに面接触するようにそれぞれ形成されている。図８に例示する被覆除去刃３Ｄでは、互いに面接触する各刃分割体４１Ｄ，４２Ｄの接触面４３Ｄ，４４Ｄが光ファイバ１００の引抜方向Ｄ１に直交しているが、これに限ることはない。
二つの刃分割体４１Ｄ，４２Ｄの接触面４３Ｄ，４４Ｄは、例えば平坦に形成されてもよいが、例えば互いに噛み合う凹凸状に形成されてもよい。この場合、二つの刃分割体４１Ｄ，４２Ｄの相対的な位置決めを容易に行うことができる。
【００６３】
また、本実施形態においては、光ファイバ裸線１０２の径方向（図８において上下方向）における二つの刃分割体４１Ｄ，４２Ｄの高さ寸法を互いに異ならせている。この場合、二つの刃分割体４１Ｄ，４２Ｄの下端（刃先端２１と逆側の端）の位置を揃えるだけで、光ファイバ裸線１０２の径方向における刃先端２１と傾斜面２３の第二端２６との相対的な位置決めを容易に行うことができる。
【００６４】
本実施形態の被覆除去刃３Ｄは、第一実施形態と同様の効果を奏する。
また、本実施形態の被覆除去刃３Ｄは、傾斜面２３を含む第一刃分割体４１Ｄと、引っ掛け面２４及び刃先端２１を含む第二刃分割体４２Ｄと、を備える。このため、二つの刃分割体４１Ｄ，４２Ｄのいずれか一方を交換するだけで、簡単に傾斜面２３と引っ掛け面２４との相対的な位置関係や、傾斜面２３や引っ掛け面２４の大きさや傾斜角度θＡ，θＢ（図２参照）を簡単に調整することが可能となる。
【００６５】
また、被覆除去刃３Ｄの一部（例えば傾斜面２３のみ、引っ掛け面２４のみ）に不具合が生じた場合にも、二つの刃分割体４１Ｄ，４２Ｄのいずれか一方を交換すればよいため、被覆除去刃３Ｄのメンテナンスを容易に行うこともできる。
また、二つの刃分割体４１Ｄ，４２Ｄの各形状を、被覆除去刃３Ｄ全体の形状よりも単純化できるため、被覆除去刃３Ｄを容易に製造することができる。
【００６６】
上記した第四実施形態の構成は、第二、第三実施形態の被覆除去刃３Ａ，３Ｂ，３Ｃにも適用可能である。
【００６７】
〔第五実施形態〕
次に、本発明の第四実施形態について、図９，１０を参照して第一実施形態との相違点を中心に説明する。なお、第一実施形態と共通する構成については、同一符号を付す等して、その説明を省略する。
【００６８】
図９，１０に示すように、本実施形態の被覆除去刃３Ｅ，３Ｆは、第一実施形態と同様の、傾斜面２３及び引っ掛け面２４を含む押付面２２と、刃先端２１と、有する。
ただし、本実施形態における被覆除去刃３Ｅ，３Ｆでは、押付面２２のうち傾斜面２３と引っ掛け面２４との間に、光ファイバ１００の引抜方向Ｄ１に窪む凹部５１が形成されている。
【００６９】
凹部５１の内面の形状は任意であってよい。
凹部５１の内面のうち傾斜面２３の第二端２６につながる第一内側面５２は、例えば引抜方向Ｄ１に延びてもよい。また、第一内側面５２は、例えば図９，１０のように、傾斜面２３と同じ傾斜角度θＡで傾斜し、傾斜面２３と同一面をなすように形成されてもよい。言い換えれば、凹部５１の第一内側面５２は、例えば傾斜面２３の一部を構成してもよい。
【００７０】
凹部５１の内面のうち引っ掛け面２４の第二端２８につながり、第一内側面５２に対向する第二内側面５３は、例えば図９，１０のように引抜方向Ｄ１に延びてもよい。また、第二内側面５３は、例えば、第一内側面５２との間隔が凹部５１の底部（図９，１０において凹部５１の左端）から凹部５１の開口（図９，１０において凹部５１の右端）に向けて徐々に大きくなるように、引抜方向Ｄ１に対して傾斜してもよい。
凹部５１の第一内側面５２と第二内側面５３とは、例えば図９のように凹部５１の底部において直接つながってもよいし、例えば図１０のように凹部５１の底部において間隔をあけて位置してもよい。図１０に例示する凹部５１の内面には、凹部５１の底部において第一内側面５２と第二内側面５３とをつなぐ底面５４が含まれる。
【００７１】
本実施形態の被覆除去刃３Ｅ，３Ｆは、第一実施形態と同様の効果を奏する。
また、本実施形態の被覆除去刃３Ｅ，３Ｆでは、傾斜面２３と引っ掛け面２４の間に凹部５１が形成されている。このため、第一実施形態の場合と同様に、一対の被覆除去刃３Ｅ，３Ｅ（３Ｆ，３Ｆ）により光ファイバ１００を挟み込んだ状態で光ファイバ１００を被覆材１０１Ａから引き抜く際には、一対の傾斜面２３，２３によって光ファイバ裸線１０２の中心に近づく方向に圧縮された被覆材１０１Ａが、凹部５１に入り込みやすくなる。これにより、一対の傾斜面２３，２３によって圧縮された被覆材１０１Ａが、一対の被覆除去刃３Ｅ，３Ｅ（３Ｆ，３Ｆ）の間を通り抜けることをより確実に防止できる。すなわち、光ファイバ裸線１０２に除去すべき被覆材１０１Ａが残ることをより確実に防ぐことができる。
【００７２】
上記した第五実施形態の構成は、第二、第三、第四実施形態の被覆除去刃３Ａ，３Ｂ，３Ｃ，３Ｄにも適用可能である。
【００７３】
以上、本発明の詳細について説明したが、本発明は上述した実施形態に限定されるものではなく、本発明の主旨を逸脱しない範囲において種々の変更を加えることができる。
【００７４】
本発明の被覆除去刃では、例えば図１０−１２に示す被覆除去刃３Ｇ，３Ｈ，３Ｉのように、押付面２２が引っ掛け面２４を含まなくてもよい。すなわち、押付面２２は少なくとも傾斜面２３を含んでいればよい。
また、本発明の被覆除去刃では、例えば図１１，１２に示す被覆除去刃３Ｈ，３Ｉのように、刃先端２１が平坦ではなく尖った形状に形成されてもよい。
また、本発明の被覆除去刃では、例えば図１２に示す被覆除去刃３Ｉのように、押付面２２と反対に向く反対面２９が、傾斜せず、光ファイバ１００の引抜方向Ｄ１と直交してもよい。
【符号の説明】
【００７５】
１…光ファイバ被覆除去装置、２…除去刃ユニット、３，３Ａ，３Ｂ，３Ｃ，３Ｄ，３Ｅ，３Ｆ，３Ｇ，３Ｈ，３Ｉ…被覆除去刃、２１，２１Ａ，２１Ｂ…刃先端、２２，２２Ａ，２２Ｂ，２２Ｃ…押付面、２３，２３Ａ，２３Ｂ，２３Ｃ…傾斜面、２４，２４Ａ，２４Ｂ…引っ掛け面、４１Ｄ…第一刃分割体、４２Ｄ…第二刃分割体、５１…凹部、１００…光ファイバ、１０１，１０１Ａ…被覆材、１０２…光ファイバ裸線、Ｄ１…引抜方向、θＡ…傾斜面の傾斜角度
【図１】
2018136359.tif 000003
【図２】
2018136359.tif 000004
【図３】
2018136359.tif 000005
【図４】
2018136359.tif 000006
【図５】
2018136359.tif 000007
【図６】
2018136359.tif 000008
【図７】
2018136359.tif 000009
【図８】
2018136359.tif 000010
【図９】
2018136359.tif 000011
【図１０】
2018136359.tif 000012
【図１１】
2018136359.tif 000013
【図１２】
2018136359.tif 000014
【図１３】
2018136359.tif 000015
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
光ファイバの被覆材を除去する光ファイバ被覆除去装置に用いる被覆除去刃であって、
前記被覆材に対して前記光ファイバの光ファイバ裸線の径方向から押し付けられる刃先端と、
前記光ファイバから引き抜かれる被覆材が前記光ファイバの長手方向において押し付けられる押付面と、を有し、
前記押付面は、前記刃先端から前記光ファイバ裸線の径方向に離れるにしたがって前記光ファイバの引抜方向と反対方向に延びるように一定角度で傾斜する傾斜面を含み、
前記傾斜面における前記光ファイバの引抜方向に対する傾斜角度が、０°よりも大きく、かつ、６０°以下であり、
前記押付面が、前記傾斜面と前記刃先端との間に形成された引っ掛け面を含み、
前記引っ掛け面は、前記光ファイバの引抜方向に直交している、又は、光ファイバ裸線の径方向において前記傾斜面から前記刃先端に向かうにしたがって前記光ファイバの引抜方向と反対方向に延びるように傾斜している被覆除去刃。
【請求項２】
光ファイバの被覆材を除去する光ファイバ被覆除去装置に用いる被覆除去刃であって、
前記被覆材に対して前記光ファイバの光ファイバ裸線の径方向から押し付けられる刃先端と、
前記光ファイバから引き抜かれる被覆材が前記光ファイバの長手方向において押し付けられる押付面と、を有し、
前記押付面は、前記刃先端から前記光ファイバ裸線の径方向に離れるにしたがって前記光ファイバの引抜方向と反対方向に延びるように傾斜する傾斜面を含み、
前記傾斜面は、前記傾斜面における前記光ファイバの引抜方向に対する傾斜角度が前記刃先端から離れるにしたがって小さくなる湾曲面に形成されている被覆除去刃。
【請求項３】
前記押付面が、前記傾斜面と前記刃先端との間に形成された引っ掛け面を含み、
前記引っ掛け面は、前記光ファイバの引抜方向に直交している、又は、光ファイバ裸線の径方向において前記傾斜面から前記刃先端に向かうにしたがって前記光ファイバの引抜方向と反対方向に延びるように傾斜している請求項２に記載の被覆除去刃。
【請求項４】
前記傾斜面を含む第一刃分割体と、前記引っ掛け面及び前記刃先端を含む第二刃分割体と、を備え、
前記第一刃分割体と前記第二刃分割体とが、前記引抜方向に順番に配列されている請求項１又は請求項３に記載の被覆除去刃。
【請求項５】
前記押付面のうち前記傾斜面と前記引っ掛け面との間に、前記引抜方向に窪む凹部が形成されている請求項１又は請求項３又は請求項４に記載の被覆除去刃。
【請求項６】
前記傾斜面は、前記引抜方向を軸線とする回転体内面に形成され、
前記回転体内面の内径は、刃先端から前記引抜方向と反対方向に向かうにしたがって大きくなる請求項１から請求項５のいずれか一項に記載の被覆除去刃。
【請求項７】
請求項１から請求項６のいずれか一項に記載の被覆除去刃を一対備え、
一対の前記被覆除去刃により前記光ファイバを前記光ファイバ裸線の径方向から挟み込んだ状態で、一対の前記被覆除去刃の前記傾斜面が一対の前記被覆除去刃の配列方向において互いに対向すると共に、一対の前記被覆除去刃の前記傾斜面の間隔が、前記光ファイバの引抜方向に向けて徐々に小さくなる除去刃ユニット。
【請求項８】
光ファイバの被覆材を除去する光ファイバ被覆除去装置に用いる被覆除去刃であって、
前記被覆材に対して前記光ファイバの光ファイバ裸線の径方向から押し付けられる刃先端と、
前記光ファイバから引き抜かれる被覆材が前記光ファイバの長手方向において押し付けられる押付面と、を有し、
前記押付面は、前記刃先端から前記光ファイバ裸線の径方向に離れるにしたがって前記光ファイバの引抜方向と反対方向に延びるように一定角度で傾斜する傾斜面を含み、
前記傾斜面における前記光ファイバの引抜方向に対する傾斜角度が、０°よりも大きく、かつ、６０°以下である被覆除去刃を一対備え、
一対の前記被覆除去刃により前記光ファイバを前記光ファイバ裸線の径方向から挟み込んだ状態で、一対の前記被覆除去刃の前記傾斜面が一対の前記被覆除去刃の配列方向において互いに対向すると共に、一対の前記被覆除去刃の前記傾斜面の間隔が、前記光ファイバの引抜方向に向けて徐々に小さくなる除去刃ユニット。
【請求項９】
前記傾斜面は、前記引抜方向を軸線とする回転体内面に形成され、
前記回転体内面の内径は、刃先端から前記引抜方向と反対方向に向かうにしたがって大きくなる請求項８に記載の除去刃ユニット。
【請求項１０】
一対の前記被覆除去刃の前記傾斜面の前記傾斜角度が互いに等しい請求項７から請求項９のいずれか一項に記載の除去刃ユニット。
【請求項１１】
請求項７から請求項１０のいずれか一項に記載の除去刃ユニットを備える光ファイバ被覆除去装置。
【請求項１２】
請求項１から請求項６のいずれか一項に記載の被覆除去刃を備える光ファイバ被覆除去装置。
【手続補正２】
【補正対象書類名】明細書
【補正対象項目名】０００７
【補正方法】変更
【補正の内容】
【０００７】
本発明に係る被覆除去刃は、光ファイバの被覆材を除去する光ファイバ被覆除去装置に用いる被覆除去刃であって、前記被覆材に対して前記光ファイバの光ファイバ裸線の径方向から押し付けられる刃先端と、前記光ファイバから引き抜かれる被覆材が前記光ファイバの長手方向において押し付けられる押付面と、を有し、前記押付面は、前記刃先端から前記光ファイバ裸線の径方向に離れるにしたがって前記光ファイバの引抜方向と反対方向に延びるように一定角度で傾斜する傾斜面を含み、前記傾斜面における前記光ファイバの引抜方向に対する傾斜角度が、０°よりも大きく、かつ、６０°以下であり、前記押付面が、前記傾斜面と前記刃先端との間に形成された引っ掛け面を含み、前記引っ掛け面は、前記光ファイバの引抜方向に直交している、又は、光ファイバ裸線の径方向において前記傾斜面から前記刃先端に向かうにしたがって前記光ファイバの引抜方向と反対方向に延びるように傾斜している。
【手続補正３】
【補正対象書類名】明細書
【補正対象項目名】００１３
【補正方法】変更
【補正の内容】
【００１３】
本発明に係る除去刃ユニットは、前記被覆除去刃を一対備え、一対の前記被覆除去刃により前記光ファイバを前記光ファイバ裸線の径方向から挟み込んだ状態で、一対の前記被覆除去刃の前記傾斜面が一対の前記被覆除去刃の配列方向において互いに対向すると共に、一対の前記被覆除去刃の前記傾斜面の間隔が、前記光ファイバの引抜方向に向けて徐々に小さくなる。
また、本発明に係る除去刃ユニットは、光ファイバの被覆材を除去する光ファイバ被覆除去装置に用いる被覆除去刃であって、前記被覆材に対して前記光ファイバの光ファイバ裸線の径方向から押し付けられる刃先端と、前記光ファイバから引き抜かれる被覆材が前記光ファイバの長手方向において押し付けられる押付面と、を有し、前記押付面は、前記刃先端から前記光ファイバ裸線の径方向に離れるにしたがって前記光ファイバの引抜方向と反対方向に延びるように一定角度で傾斜する傾斜面を含み、前記傾斜面における前記光ファイバの引抜方向に対する傾斜角度が、０°よりも大きく、かつ、６０°以下である被覆除去刃を一対備え、一対の前記被覆除去刃により前記光ファイバを前記光ファイバ裸線の径方向から挟み込んだ状態で、一対の前記被覆除去刃の前記傾斜面が一対の前記被覆除去刃の配列方向において互いに対向すると共に、一対の前記被覆除去刃の前記傾斜面の間隔が、前記光ファイバの引抜方向に向けて徐々に小さくなる。
【手続補正４】
【補正対象書類名】明細書
【補正対象項目名】００１４
【補正方法】変更
【補正の内容】
【００１４】
前記除去刃ユニットにおいて、前記傾斜面は、前記引抜方向を軸線とする回転体内面に形成され、前記回転体内面の内径は、刃先端から前記引抜方向と反対方向に向かうにしたがって大きくなってもよい。
前記除去刃ユニットにおいては、一対の前記被覆除去刃の前記傾斜面の前記傾斜角度が互いに等しくてもよい。
【手続補正５】
【補正対象書類名】明細書
【補正対象項目名】００６７
【補正方法】変更
【補正の内容】
【００６７】
〔第五実施形態〕
次に、本発明の第五実施形態について、図９，１０を参照して第一実施形態との相違点を中心に説明する。なお、第一実施形態と共通する構成については、同一符号を付す等して、その説明を省略する。
【手続補正６】
【補正対象書類名】明細書
【補正対象項目名】００７４
【補正方法】変更
【補正の内容】
【００７４】
本発明の被覆除去刃では、例えば図１１−１３に示す被覆除去刃３Ｇ，３Ｈ，３Ｉのように、押付面２２が引っ掛け面２４を含まなくてもよい。すなわち、押付面２２は少なくとも傾斜面２３を含んでいればよい。
また、本発明の被覆除去刃では、例えば図１２，１３に示す被覆除去刃３Ｈ，３Ｉのように、刃先端２１が平坦ではなく尖った形状に形成されてもよい。
また、本発明の被覆除去刃では、例えば図１３に示す被覆除去刃３Ｉのように、押付面２２と反対に向く反対面２９が、傾斜せず、光ファイバ１００の引抜方向Ｄ１と直交してもよい。